(57)【要約】【課題】  そのときの無線伝送状態に応じて、適切なＡＶデータの伝送処理ができるようにする。【解決手段】  第１の無線装置１０と第２の無線装置２０との間で、ＡＶデータの無線伝送を行う場合において、第１の無線装置１０は、入力又は受信したＡＶデータを、第１の符号化方式で符号化する第１の符号化部１２ａと、この第１の符号化方式とは異なる第２の符号化方式で符号化する第２の符号化部１２ｂとを備える構成とし、いずれか一方の符号化方式で符号化されたＡＶデータを無線送信し、第２の無線装置２０は、受信したＡＶデータに対して、第１の符号化方式に対応した復号化部２３ａと、第２の符号化方式に対応した復号化部２３ｂとの何れか一方で処理を行い、無線伝送の品質を判定して、その判定した伝送品質に基づいて、第１の符号化部１２ａと第２の符号化部１２ｂとを選択する。【選択図】      図１
2007049242.tif 000002
【特許請求の範囲】
【請求項１】
第１の無線装置と第２の無線装置との間で、ビデオデータ及び／又はオーディオデータの無線伝送を行う無線伝送システムにおいて、
前記第１の無線装置として、
ビデオデータ及び／又はオーディオデータの入力又は受信を行う入力部と、
前記入力部に入力したビデオデータ及び／又はオーディオデータを第１の符号化方式で符号化する第１の符号化部と、
前記入力部に入力したビデオデータ及び／又はオーディオデータを前記第１の符号化方式とは異なる第２の符号化方式で符号化する第２の符号化部と、
前記第１又は第２の符号化部で符号化されたデータを無線送信する送信部と、
前記送信部で送信させるビデオデータ及び／又はオーディオデータの符号化方式を、第２の無線装置からの伝送品質の判定情報に従って選定する制御部とを備え、
前記第２の無線装置として、
無線送信されたビデオデータ及び／又はオーディオデータを受信する受信部と、
前記受信部が受信したビデオデータ及び／又はオーディオデータを前記第１の符号化方式に対応した復号化を行う第１の復号化部と、
前記受信部が受信したビデオデータ及び／又はオーディオデータを前記第２の符号化方式に対応した復号化を行う第２の復号化部と、
前記第１又は第２の復号化部のいずれか一方で復号化されたビデオデータ及び／又はオーディオデータを処理する処理部と、
前記無線伝送の品質を判定して、その判定した伝送品質を前記第１の無線装置に伝える伝送品質判定部とを備えたことを特徴とする
無線伝送システム。
【請求項２】
請求項１記載の無線伝送システムにおいて、
前記第１の符号化部は、所定の閾値以上のビットレートでビデオデータ及び／又はオーディオデータを適正に符号化することに重きを置いた符号化部であり、
前記第２の符号化部は、前記閾値以下のビットレートでビデオデータ及び／又はオーディオデータを適正に符号化することに重きを置いた符号化方式であることを特徴とした
無線伝送システム。
【請求項３】
請求項１記載の無線伝送システムにおいて、
前記第１の符号化部での符号化率については、複数段階のビットレートに変化させ、前記第２の符号化部での符号化率については、所定のビットレートに固定設定することを特徴とした
無線伝送システム。
【請求項４】
請求項１記載の無線伝送システムにおいて、
前記第１の無線装置の制御部が選定する符号化部が第１の符号化部から第２の符号化部に変更されたときに、前記第２の無線装置の処理部でのビデオ処理で、符号化部が変更されたことを識別できるようにしたことを特徴とした
無線伝送システム。
【請求項５】
第１の無線装置と第２の無線装置との間で、ビデオデータ及び／又はオーディオデータの無線伝送を行う無線伝送方法において、
前記第１の無線装置は、入力又は受信したビデオデータ及び／又はオーディオデータを、第１の符号化方式で符号化する第１の符号化処理と、この第１の符号化方式とは異なる第２の符号化方式で符号化する第２の符号化処理とを可能とし、いずれか一方の符号化処理で符号化されたビデオデータ及び／又はオーディオデータを無線送信し、
前記第２の無線装置は、無線伝送されたビデオデータ及び／又はオーディオデータを受信し、その受信したビデオデータ及び／又はオーディオデータに対して、前記第１の符号化方式に対応した復号化処理と、前記第２の符号化方式に対応した復号化処理との何れか一方を行い、
前記無線伝送の品質を判定して、その判定した伝送品質に基づいて、前記第１の符号化処理と第２の符号化処理とを選択することを特徴とする
無線伝送方法。
【発明の詳細な説明】
【技術分野】
【０００１】
例えば、無線ＬＡＮ（Local Area Network）用のシステムを用いてビデオデータやオーディオデータ（以下これらのデータをＡＶデータと称する）を無線伝送するものに適用して好適な無線伝送システム、及びそのシステムに適用される無線伝送方法に関する。
【背景技術】
【０００２】
近年、ＡＶデータを数十ｍ程度の比較的近距離で無線伝送するシステムが実用化されている。このようなシステムは、例えばビデオディスク再生装置やチューナなどの映像信号源とは離れた場所にディスプレイを設置して視聴するような場合に使用される。図４は、従来のこの種の無線伝送システム構成例である。図４に示すように、第１の無線機１と第２の無線機２とで構成され、第１の無線機１は、ビデオデータ及びオーディオデータが入力されるＡＶ入力部１ａを備え、例えばビデオディスク再生装置やテレビジョンチューナなどの映像信号源が接続（又は内蔵）され、ＡＶデータが入力される。
【０００３】
ＡＶ入力部１ａに入力したＡＶデータは、ＭＰＥＧ（Moving Picture Experts Group）２方式で符号化するＭＰＥＧ２エンコーダ１ｂに供給して、ＭＰＥＧ２方式に符号化する。符号化率そのものは、制御部１ｄ側からの指示で設定される。ＭＰＥＧ２エンコーダ１ｂで符号化されたＡＶデータは、無線ＬＡＮ部１ｃに供給して、ＩＥＥＥ８０２．１１ｂ規格などの無線ＬＡＮ規格で規定された無線伝送方式での送信処理を行い、接続されたアンテナ３から無線送信させる。無線ＬＡＮ部１ｃでの無線送信処理についても、制御部１ｄで制御される。無線伝送された信号は、第２の無線機２で受信される。
【０００４】
第２の無線機２では、アンテナ４が接続された無線ＬＡＮ部２ａで受信したデータを、ＭＰＥＧ２デコーダ２ｂに供給して、ＭＰＥＧ２方式に符号化された受信データを復号化し、復号化されたＡＶデータを、ＡＶ出力部２ｄに供給して、接続された（又は内蔵された）表示装置などに供給して、表示などのＡＶデータ処理を実行させる。ＭＰＥＧ２デコーダ２ｂでデータの復号化を行う際には、メモリ２ｃをバッファメモリとして使用して、ある程度無線通信が途切れても対処できるようにしてある。
【０００５】
ここで、第２の無線機２は、無線ＬＡＮ部２ａで受信したデータを、誤り率判定部２ｅに供給して、その誤り率判定部２ｅで受信データの誤り率を判定させる。判定された誤り率のデータは、制御部２ｆに供給する。制御部２ｆでは、誤り率のデータから判断した伝送状態のデータを、無線ＬＡＮ部２ａ側に送り、第２の無線機２から第１の無線機１側に送信するようにしてある。この伝送状態を示すデータの送信は、定期的に送信したり、あるいは伝送状態に変化があった場合に送信する等が想定される。
【０００６】
第２の無線機２側で無線伝送データの誤り率の測定結果は、第１の無線機１側のＭＰＥＧ２エンコーダ１ｂでの符号化によるデータ伝送レートの設定に反映させる。即ち、ＭＰＥＧ２エンコーダ１ｂで符号化（コーデック）されたデータのデータ伝送レートとしては、例えば図５に示すように、複数段階に可変設定できるようにしてある。図５の例では、１２Ｍｂｐｓから３Ｍｂｐｓの４段階に可変設定できる構成としてある。また、無線ＬＡＮ部１ｃ，２ａ間の物理層（ＰＨＹ：physical layer）での無線伝送レートについても、図５に示したように、その符号化レートのＡＶデータを伝送可能に可変設定するようにしてある。
【０００７】
具体的には、例えば１２Ｍｂｐｓで符号化されたＡＶデータは、無線伝送レートとして２４Ｍｂｐｓを設定するようにしてある。以下、ＡＶデータの符号化レートの低下に連動して、無線伝送レートも低下させるようにしてあり、３Ｍｂｐｓで符号化されたＡＶデータは、無線伝送レートとして６Ｍｂｐｓを設定するようにしてある。
【０００８】
図６のフローチャートは、この符号化レートの設定処理例を示した図である。まず、第１の無線機１の電源オンで（ステップＳ１）、第１の無線機１と第２の無線機２との間の無線接続認証処理が行われ（ステップＳ２、Ｓ６）、その無線接続認証処理が完了すると、コーデック設定用の値Ｘを１に設定する（ステップＳ３）。そして、そのＸの値に対応したコーデック番号（図５参照）を設定して（ステップＳ４）、ＡＶデータの無線送信を開始させる（ステップＳ５）。
【０００９】
第２の無線機２側では、ＡＶデータの無線伝送が開始されると、そのＡＶデータを受信開始して（ステップＳ７）、その受信データのパケットエラーレート（ＰＥＲ）を、誤り率判定部２ｅで測定させる（ステップＳ８）。その測定で、パケットエラーレートが９０％の閾値未満の値であるか否か判断し（ステップＳ９）、さらに現在のコーデック設定用の値Ｘが４（即ち最大値）であるか否か判断し（ステップＳ１０）、パケットエラーレートが９０％未満で値Ｘが４以外である場合に、値Ｘを１加算し（ステップＳ１１）、コーデック変更要求を第１の無線機１に対して行い（ステップＳ１２）、そのコーデック変更要求を受信した第１の無線機１では、ステップＳ４でのコーデック選択（変更）処理が行われる。受信したデータのパケットエラーレートが９０％以上である場合には、無線伝送状態が良好であるとして、そのコーデック状態での受信を継続して実行させる。また、Ｘ＝４のコーデックが行われている状態の場合には、図５に示した最もレートが低い伝送状態であり、エラーレートが悪い場合でも、その状態での無線伝送を行う。
【００１０】
このようにして、そのときの無線伝送状態に適した符号化率でコーデックしたＡＶデータが無線伝送され、そのときの状態に最適な状態が設定される。なお、ＭＰＥＧ２エンコーダ１ｂでの符号化のレートの変更は、例えばビデオデータの画サイズやフレームレートなどを変更して対処しており、符号化されたデータのレートが高い程、受信側で表示される画像が解像度の高い画像となる。
【００１１】
特許文献１には、この種のＡＶデータ（画像データ）を、複数段階のレートでコーデックして無線伝送するシステムについての開示がある。
【特許文献１】特開２００４−６４３００号公報
【発明の開示】
【発明が解決しようとする課題】
【００１２】
ところが、従来のシステムでは、用意されたコーデック方式の最もレートが低いコーデック状態が選定された状態では、無線伝送環境が悪化しても、そのコーデック状態でのデータ伝送を行うことしか出来ないため、受信側で正しく受信できなくなる可能性があった。ここで、このような無線伝送システムが用意する符号化器として、より圧縮率の高い符号化器を備えることも考えられるが、圧縮率の高い符号化器でコーデックした画像は、比較的解像度が低い画像であり、無線伝送状態が良好な環境でも、そのような圧縮率の高い符号化器を使うようにすると、解像度の低下を招いてしまう。圧縮率を高くしてフレームレート、画サイズ等を低下させる事は、ＡＶデータの品位を下げることに直結するので、本来は高い圧縮率での伝送は避けることが好ましい。
【００１３】
さらに、圧縮率の高い符号化器は、消費電力も大きい問題があり、常時そのような電力の大きな符号化器や復号化器を使用するには、無線機の消費電力から好ましくなく、例えばバッテリ駆動の機器には適さなくなってしまう。
【００１４】
本発明の目的は、そのときの無線伝送状態に応じて、適切なＡＶデータの伝送処理ができるようにすることにある。
【課題を解決するための手段】
【００１５】
本発明は、第１の無線装置と第２の無線装置との間で、ビデオデータ及び／又はオーディオデータの無線伝送を行う場合において、第１の無線装置は、入力又は受信したビデオデータ及び／又はオーディオデータを、第１の符号化方式で符号化する第１の符号化処理と、この第１の符号化方式とは異なる第２の符号化方式で符号化する第２の符号化処理とを可能とし、いずれか一方の符号化処理で符号化されたビデオデータ及び／又はオーディオデータを無線送信し、第２の無線装置は、無線伝送されたビデオデータ及び／又はオーディオデータを受信し、その受信したビデオデータ及び／又はオーディオデータに対して、第１の符号化方式に対応した復号化処理と、第２の符号化方式に対応した復号化処理との何れか一方を行い、無線伝送の品質を判定して、その判定した伝送品質に基づいて、第１の符号化処理と第２の符号化処理とを選択するようにしたものである。
【００１６】
このようにしたことで、例えば第１の符号化方式として比較的圧縮率の低い画質の良好な無線伝送ができる処理を用意し、第２の符号化方式として比較的圧縮率の高い無線伝送ができる処理を用意することで、そのときの無線伝送の品質に応じて、適切な符号化方式による無線伝送処理が行えるようになる。
【発明の効果】
【００１７】
本発明によると、そのときの無線伝送状態に応じて、複数の符号化方式の中から最適なものを選定して無線伝送できるので、そのときの無線伝送の品質に応じて、適切な符号化方式による無線伝送処理が行える。例えば、無線伝送環境が悪い場合にも最低限の画質でのビデオデータの伝送が行えたり、或いは、無線伝送状態が非常に良い場合には、圧縮率の低い方式を適用して、高画質のビデオデータの伝送が行えるようにする等、伝送条件の変化に適切に対処できるようになる。
【発明を実施するための最良の形態】
【００１８】
以下、本発明の一実施の形態を、図１〜図３を参照して説明する。
【００１９】
本例においては、ビデオデータ及びオーディオデータ（或いはいずれか一方のデータ）で構成されるＡＶデータを、２台の無線装置（無線機）を使用して、例えば数十ｍ程度の比較的近距離で無線伝送するシステムに適用したものである。図１は、本例の無線伝送システム構成例である。図１に示すように、第１の無線機１０と第２の無線機２０とで構成され、第１の無線機１０は、ビデオデータ及びオーディオデータが入力されるＡＶ入力部１１を備え、例えばビデオディスク再生装置やテレビジョンチューナなどの映像信号源１９が接続され、ＡＶデータが入力される。第１の無線機１０が、これらの映像信号源を内蔵しても良い。
【００２０】
ＡＶ入力部１１に入力したＡＶデータは、エンコーダ部１２に供給する。本例のエンコーダ部１２は、ＭＰＥＧ２方式でビデオデータ及びオーディオデータを符号化するＭＰＥＧ２エンコーダ１２ａと、ＭＰＥＧ４方式で符号化するＭＰＥＧ４エンコーダ１２ｂとの２つの符号化器を備える。これら２つの符号化器による符号化方式は、全く異なる符号化処理を行う方式であり、それぞれに互換性はない。
【００２１】
ＭＰＥＧ２エンコーダ１２ａとＭＰＥＧ４エンコーダ１２ｂのいずれを使用して符号化を行うかは、制御部１５による制御で決まる。具体的は制御処理状態の詳細については後述する。エンコーダ部１２で符号化されたＡＶデータは、無線ＬＡＮ部１３に供給して、ＩＥＥＥ８０２．１１ｂ規格などの無線ＬＡＮ規格で規定された無線伝送方式での送信処理を行い、接続されたアンテナ１４から無線送信させる。無線ＬＡＮ部１１３での無線送信処理についても、制御部１５で制御される。無線伝送された信号は、第２の無線機２０で受信される。
【００２２】
第２の無線機２０では、アンテナ２１が接続された無線ＬＡＮ部２２で受信したデータを、デコード部２３に供給して復号化する。デコード部２３は、ＭＰＥＧ２方式で符号化されたビデオデータ及びオーディオデータを復号化するＭＰＥＧ２エンコーダ２３ａと、ＭＰＥＧ４方式で符号化されたビデオデータ及びオーディオデータを復号化するＭＰＥＧ４エンコーダ２３ｂとの２つの復号化器を備える。２つの復号化器のいずれを使用するかは、受信したデータに施された符号化方式に対応したものが、制御部２７からの制御に基づいて選択される。例えば、第１の無線機２０側から無線送信させるデータに、ＡＶデータの符号化方式及びその符号化方式でのビットレートを示す制御データを付加させ、その制御データの制御部２７での判断で、デコード部２３でのデコード方式などを設定させる。この制御データとしては、例えば後述するコーデック番号を伝送するようにしてもよい。
【００２３】
デコード部２３で復号されたＡＶデータは、ＡＶ出力部２５に供給して、接続された（又は内蔵された）表示装置２９などに供給して、表示や音声出力などのＡＶデータ処理を実行させる。デコード部２３でデータの復号化を行う際には、メモリ２４をバッファメモリとして使用するようにしてある。
【００２４】
ここで、第２の無線機２０は、無線ＬＡＮ部２２で受信したデータを、誤り率判定部２６に供給して、その誤り率判定部２６で受信データの誤り率を判定させる。判定された誤り率のデータは、制御部２７に供給する。制御部２７では、誤り率のデータから判断した伝送状態のデータを、無線ＬＡＮ部２２側に送り、第２の無線機２０から第１の無線機１０側に送信するようにしてある。この伝送状態を示すデータの送信は、定期的に送信したり、あるいは伝送状態に変化があった場合に送信する等が想定される。
【００２５】
第２の無線機２０側で無線伝送データの誤り率の測定結果は、第１の無線機１０側に無線送信させ、データ伝送レートや符号化方式の設定に反映させる。本例においては、２つのエンコーダ１２ａ又は１２ｂで符号化（コーデック）されたデータのデータ伝送レートとしては、例えば図２に示すように、複数段階に可変設定できるようにしてある。図２の例では、ＭＰＥＧ２方式では、１２Ｍｂｐｓから３Ｍｂｐｓのビットレートに４段階に可変設定できる構成としてあり、ＭＰＥＧ４方式では、０．５Ｍｂｐｓのビットレートに固定設定される構成としてある。
【００２６】
また、無線ＬＡＮ部１３，２２間の物理層（ＰＨＹ）での無線伝送レートについても、図２に示したように、４段階に可変設定できるようにしてあり、ＭＰＥＧ２方式での４段階の変化に連動して可変設定される構成としてある。ＭＰＥＧ４方式でのコーデックによるレートについては、０．５Ｍｂｐｓのビットレートに固定設定してあるが、その０．５Ｍｂｐｓのレートのデータを無線伝送するのに、無線ＬＡＮ部１３，２２間の物理層での無線伝送レートとして４段階に可変設定するようにしてある。従って、結果的に図２に示すように８段階に伝送レートが設定してあり、それぞれに個別にコーデック番号が付与してある。コーデック番号が小さい値である程、無線伝送環境がよい状態で使用されるコーデックであり、最も無線伝送環境が悪い状態のとき、最も大きな値のコーデック番号が使用される。
【００２７】
図３のフローチャートは、この符号化レートの設定処理例を示した図である。まず、第１の無線機１０の電源オンで（ステップＳ２１）、第１の無線機１０と第２の無線機２０との間の無線接続認証処理が行われ（ステップＳ２２、Ｓ２６）、その無線接続認証処理が完了すると、コーデック設定用の値Ｘを１に設定する（ステップＳ２３）。そして、そのＸの値に対応したコーデック番号（図２参照）を設定して（ステップＳ２４）、ＡＶデータの無線送信を開始させる（ステップＳ２５）。
【００２８】
第２の無線機２０側では、ＡＶデータの無線伝送が開始されると、そのＡＶデータを受信開始して（ステップＳ２７）、その受信データのパケットエラーレート（ＰＥＲ）を、誤り率判定部２６で測定させる（ステップＳ２８）。その測定で、パケットエラーレートが９０％の閾値未満の値であるか否か判断し（ステップＳ２９）、パケットエラーレートが９０％以上である場合には、現在のコーデック番号での処理を継続させる。パケットエラーレートが９０％の閾値未満の値である場合には、現在のコーデック設定用の値Ｘが４であるか否か判断し（ステップＳ３０）、パケットエラーレートが９０％未満で値Ｘが４である場合に、符号化方式をＭＰＥＧ２方式からＭＰＥＧ４方式に変更することを文字や図形などで示す画像を、出力部２５から出力させるビデオデータに付加する（ステップＳ３１）。このビデオデータを受像する表示装置２９では、表示画像で、無線伝送の符号化方式がＭＰＥＧ２方式からＭＰＥＧ４方式に変更されたことが表示されるようになる。なお、第２の無線機２０が備える何らかの表示部に、この符号化方式の変更を表示させるようにしてもよい。
【００２９】
その後、値Ｘが８か否か判断し（ステップＳ３２）、８以外の値である場合には、値Ｘを１加算し（ステップＳ３３）、コーデック変更要求を第１の無線機１０に対して行い（ステップＳ３４）、そのコーデック変更要求を受信した第１の無線機１０では、ステップＳ２４でのコーデック選択（変更）処理が行われる。受信したデータのパケットエラーレートが９０％以上である場合には、無線伝送状態が良好であるとして、そのコーデック状態での受信を継続して実行させる。ステップＳ３２でＸ＝８のコーデックが行われている状態と判断した場合には、図２に示した最もレートが低い伝送状態であり、エラーレートが悪い場合でも、その状態での無線伝送を行う。
【００３０】
このようにして、そのときの無線伝送状態に適した符号化率でコーデックしたＡＶデータが無線伝送され、そのときの状態に最適な状態が設定される。なお、ＭＰＥＧ２エンコーダ１２ａでの符号化のレートの変更は、例えばビデオデータの画サイズやフレームレートなどを変更して対処しており、符号化されたデータのレートが高い程、受信側で表示される画像が解像度の高い画像となる。ＭＰＥＧ４エンコーダ１２ｂでの符号化のビットレートは、０．５Ｍｂｐｓに固定設定されるが、その０．５Ｍｂｐｓのレートで伝送されるビデオデータの表示画質は、ＭＰＥＧ２方式での３Ｍｂｐｓのレートで伝送されるビデオデータの表示画質よりは劣るが、符号化方式の演算処理がＭＰＥＧ２方式とは全く異なるため、０．５Ｍｂｐｓのレートでもそれなりの画質の画像が表示される。
【００３１】
このようにして、ＭＰＥＧ２方式とＭＰＥＧ４方式との２つのデコーダを備えて、そのときの状態に応じて選択的に使用されることで、そのときの無線伝送環境に適した良好な画質のＡＶデータの伝送が可能になる。特に、従来のＭＰＥＧ２方式のデコーダだけを備えた場合に比べて、より低いレートでの伝送が可能であり、より無線伝送環境が悪い状態に対処でき、妨害耐性が良くなる。この場合、ＭＰＥＧ４方式のデコーダは、ＭＰＥＧ２方式のデコーダに比べて複雑な演算処理が必要で、消費電力も大きく、制御処理も複雑になるが、常時ＭＰＥＧ４方式のデコーダが使用されるのではないので、良好に対処できる。即ち、ＭＰＥＧ４方式のデコーダが使用されるのは、無線伝送状態が非常に悪い場合であり、ある程度以上の無線伝送状態の場合には、ＭＰＥＧ２方式のデコーダが使用されるので、ＭＰＥＧ４方式のデコーダだけを備えた場合に比べて消費電力を低減させることができると共に、制御処理も簡単になる。
【００３２】
なお、ここまで説明した処理では、第２の無線機１０側で、受信データのビットエラー率を測定して、無線通信状態を判断するようにしたが、受信電界強度（ＲＳＳＩ）などのその他の処理で無線通信状態を判断するようにしてもよい。
【００３３】
また、上述した実施の形態では、図２に示したように、ＭＰＥＧ４方式を使用する際には、ＭＰＥＧ４方式での符号化のビットレートについては一定値に固定して、無線伝送の物理層でのレートを可変させるようにしたが、逆に、無線伝送の物理層でのレートを２４Ｍｂｐｓなどに固定して、ＭＰＥＧ４方式での符号化のビットレートを複数段階に変化させるようにしてもよい。或いはまた、ＭＰＥＧ４方式でも、ＭＰＥＧ２方式の場合と同様に、無線伝送の物理層でのレートと、ＭＰＥＧ４方式での符号化のビットレートとを、それぞれ複数段階に変化させるようにしてもよい。
【００３４】
また、上述した実施の形態では、ＭＰＥＧ２方式の符号化処理とＭＰＥＧ４方式での符号化処理を組み合わせるようしたが、その他のビットレートが異なる複数の符号化方式を組み合わせるようにしてもよい。
【００３５】
さらに、上述した実施の形態では、ビデオデータとオーディオデータよりなるＡＶデータを無線伝送する場合について説明したが、例えばビデオデータだけを無線伝送する場合や、オーディオデータだけを無線伝送する場合にも、それぞれのデータの伝送の符号化率や符号化方式などを対応して変化させて、同様の処理を行うようにしてもよい。
【図面の簡単な説明】
【００３６】
【図１】本発明の一実施の形態によるシステム例を示す構成図である。
【図２】本発明の一実施の形態によるレート設定例を示す説明図である。
【図３】本発明の一実施の形態による伝送処理例を示すフローチャートである。
【図４】従来の伝送システム例を示す構成図である。
【図５】従来のレート設定例を示す説明図である。
【図６】従来の伝送処理例を示すフローチャートである。
【符号の説明】
【００３７】
１０…第１の無線機、１１…ＡＶ入力部、１２…エンコーダ部、１２ａ…ＭＰＥＧ２エンコーダ、１２ｂ…ＭＰＥＧ４エンコーダ、１３…無線ＬＡＮ部、１４…アンテナ、１５…制御部、１９…映像信号源、２１…アンテナ、２２…無線ＬＡＮ部、２３…デコーダ部、２３ａ…ＭＰＥＧ２デコーダ、２３ｂ…ＭＰＥＧ４デコーダ、２４…メモリ、２５…ＡＶ出力部、２６…誤り率判定部、２７…制御部、２９…表示装置
【図１】
2007049242.tif 000003
【図２】
2007049242.tif 000004
【図３】
2007049242.tif 000005
【図４】
2007049242.tif 000006
【図５】
2007049242.tif 000007
【図６】
2007049242.tif 000008